【事件の表示】
　特願２０１６−　６７６９７「音声翻訳装置、音声翻訳方法、及び音声翻訳プログラム」拒絶査定不服審判事件〔平成２９年１０月　５日出願公開、特開２０１７−１８２３９４、請求項の数（５）〕について、次のとおり審決する。
【結　論】
　原査定を取り消す。
　本願の発明は、特許すべきものとする。
【理　由】
第１　手続の経緯
  　
　本願は、平成２８年３月３０日の出願であって、平成２８年９月２９日付けで拒絶理由通知がなされ、平成２８年１２月５日に手続補正がなされたが、平成２９年２月２７日付けで拒絶査定（原査定）がなされ、これに対し、平成２９年５月３１日に拒絶査定不服審判の請求がされると同時に手続補正がなされたものである。
   　
第２　原査定の概要
  　
　原査定（平成２９年２月２７日付け拒絶査定）の概要は次のとおりである。
  　
１．本願請求項１−５に係る発明は、以下の引用文献１に基づいて、その発明の属する技術の分野における通常の知識を有する者（以下、「当業者」という。）が容易に発明できたものであるから、特許法第２９条第２項の規定により特許を受けることができない。
   　
引用文献等一覧
１．特開昭５５−１０６９４号公報
　
第３　本願発明
　
　本願請求項１−５に係る発明（以下、それぞれ「本願発明１」−「本願発明５」という。）は、平成２９年５月３１日の手続補正で補正された特許請求の範囲の請求項１−５に記載された事項により特定される発明であり、本願発明１は以下のとおりの発明である。
   　
「　【請求項１】
　話者のソース言語による音声を入力するための入力部と、
　入力音声の内容を前記ソース言語とは異なる他言語の内容に翻訳する翻訳部と、
　前記他言語による翻訳結果を前記ソース言語の内容に逆翻訳する逆翻訳部と、
　前記入力音声の内容と前記他言語による翻訳結果を表示する表示部と、
を備え、
　前記逆翻訳部は、前記話者による指示の有無に拘わりなく、前記逆翻訳を予め実行しておき、
　前記表示部は、前記話者による前記逆翻訳の結果の表示指示があった場合に、前記ソース言語による前記入力音声の内容とともに、予め実行された前記ソース言語による前記逆翻訳の結果を同一画面に表示する、
音声翻訳装置。」
   　
　なお、本願発明２−５の概要は以下のとおりである。
　本願発明２、３は、概略、本願発明１を減縮した発明である。
　本願発明４は、本願発明１に対応する方法の発明であり、本願発明１とカテゴリ表現が異なるだけの発明である。
　本願発明５は、本願発明１に対応するプログラムの発明であり、コンピュータを、本願発明１の各部として機能させるプログラムとした発明である。
　
第４　引用文献、引用発明等
　
　原査定の拒絶の理由に引用された上記引用文献１には、図面とともに次の事項が記載されている（下線は、当審において付与した。）。
　
ア．「本発明は
音声付電子翻訳装置
   　
イ．「
翻訳器１０は第一の言語を人力すると、自動的に翻訳されて第二の言語が出力するように考案されている。第一の言語はデスプレイ１８の上段２２に表示され、翻訳された第二の言語はデスプレイ１８の下段２４に表示される
　さらに、
翻訳装置は音声合成器を内蔵しており、音量調節２７を有するスピーカ２６を通して翻訳言語の発音が流れ出る
    　
ウ．「第４Ａ図において、
翻訳機の機能は、キーボード１６による文字入力から開始される
  　
エ．「
文字入力が終り、翻訳を要求する
   　
オ．「
逆翻訳を要求する場合
第二言語に翻訳されたワードを、元の第一言語に翻訳し直してこれを表示し
これは逆翻訳キー５０を押すことにより実行される
   　
　したがって、引用文献１には、次の発明（以下、「引用発明」という。）が記載されている。
   　
＜引用発明＞
     　
「キーボード６２により第一の言語を人力すると、翻訳して第二の言語を出力し、
　第一の言語をデスプレイ１８の上段２２に表示し、第二の言語をデスプレイ１８の下段２４に表示し、
　音声合成器を内蔵しており、スピーカ２６を通して翻訳言語を発音し、
　逆翻訳が要求された場合、第二の言語に翻訳されたワードを、元の第一の言語に翻訳し直して表示し、これは逆翻訳キー５０を押すことにより実行される、
音声付電子翻訳装置。」
    　
第５　対比・判断
     　
１．本願発明１について
     　
（１）対比
    　
　次に、本願発明１と引用発明とを対比する。
   　
・引用発明の「第一の言語」は、本願発明１の「ソース言語」に相当する。
・引用発明の「第二の言語」は、本願発明１の「ソース言語とは異なる他言語」に相当する。
・引用発明の、第一の言語を入力するキーボードと、本願発明１の「話者のソース言語による音声を入力するための入力部」は、「ソース言語を入力するための入力部」の点で共通する。
・引用発明は、第一の言語を人力すると、翻訳して第二の言語を出力することから、入力された第一の言語を第二の言語に翻訳する翻訳手段を有するといえる。
　引用発明の当該翻訳手段と、本願発明１の「入力音声の内容を前記ソース言語とは異なる他言語の内容に翻訳する翻訳部」は、「入力の内容を前記ソース言語とは異なる他言語の内容に翻訳する翻訳部」の点で共通する。
・引用発明の、第二の言語に翻訳されたワードを元の第一の言語に翻訳し直す手段は、本願発明１の「前記他言語による翻訳結果を前記ソース言語の内容に逆翻訳する逆翻訳部」に相当する。
・引用発明の「第一の言語をデスプレイ１８の上段２２に表示し、第二の言語をデスプレイ１８の下段２４に表示」する手段と、本願発明１の「前記入力音声の内容と前記他言語による翻訳結果を表示する表示部」は、「前記入力の内容と前記他言語による翻訳結果を表示する表示部」の点で共通する。
・引用発明は、逆翻訳キー５０を押すと、第二の言語に翻訳されたワードを、元の第一の言語に翻訳し直して表示することから、第一の言語（ソース言語）による逆翻訳の結果を表示するといえる。また、逆翻訳キーを押すことは、逆翻訳の結果の表示指示といえる。
　したがって、引用発明の表示手段が、逆翻訳キー５０を押したときに、第二の言語に翻訳されたワードを、元の第一の言語に翻訳し直して表示することと、本願発明１の「前記表示部は、前記話者による前記逆翻訳の結果の表示指示があった場合に、前記ソース言語による前記入力音声の内容とともに、予め実行された前記ソース言語による前記逆翻訳の結果を同一画面に表示する」は、「前記表示部は、前記逆翻訳の結果の表示指示があった場合に、前記ソース言語による前記逆翻訳の結果を表示する」の点で共通する。
・引用発明の「音声付電子翻訳装置」と、本願発明１の「音声翻訳装置」は、「翻訳装置」の点で共通する。
　したがって、本願発明１と引用発明との一致点・相違点は、次の通りである。
   　
＜一致点＞
「ソース言語を入力するための入力部と、
　入力の内容を前記ソース言語とは異なる他言語の内容に翻訳する翻訳部と、
　前記他言語による翻訳結果を前記ソース言語の内容に逆翻訳する逆翻訳部と、
　前記入力の内容と前記他言語による翻訳結果を表示する表示部と、
を備え、
　前記表示部は、前記逆翻訳の結果の表示指示があった場合に、前記ソース言語による前記逆翻訳の結果を表示する、
翻訳装置。」
    　
＜相違点１＞（音声入力に関する相違点）
　入力部が、本願発明１では、話者の音声を入力するものであるのに対し、引用発明では、キーボードである点。
　また、翻訳部が、本願発明１では、音声の内容を翻訳するのに対し、引用発明では、キーボードの人力を翻訳する点。
　また、翻訳装置が、本願発明１では、「音声翻訳装置」であるのに対し、引用発明では、音声を翻訳するものではない点。
　
＜相違点２＞（逆翻訳部に関する相違点）
　逆翻訳部が、本願発明１では、「前記話者による指示の有無に拘わりなく、前記逆翻訳を予め実行して」おくものであるに対し、引用発明では、逆翻訳キー５０が押されると、逆翻訳を実行する点。
    　
＜相違点３＞（表示部に関する相違点）
　表示される逆翻訳の結果が、本願発明１では、「予め実行された」ものであるのに対し、引用発明では、「予め実行された」ものではない点。
　本願発明１は、逆翻訳の結果を、「前記ソース言語による前記入力音声の内容とともに」、「同一画面に表示する」のに対し、引用発明は、逆翻訳の結果を表示する際に、どのような情報とともに表示するかは不明であり、逆翻訳の結果をソース言語による入力音声の内容とともに同一画面に表示するものではない点。
　
（２）相違点についての判断
    　
　上記相違点２について検討すると、引用発明は、逆翻訳キーが押されると逆翻訳を実行するものであり、この逆翻訳キーによる指示の有無にかかわらず、逆翻訳を予め実行することは示唆されていない。
　したがって、当業者といえども、引用発明から、相違点２に係る本願発明１の「前記逆翻訳部は、前記話者による指示の有無に拘わりなく、前記逆翻訳を予め実行しておき」という構成を容易に想到することはできない。
　よって、上記相違点１、３について判断するまでもなく、本願発明１は、当業者であっても、引用発明に基づいて容易に発明できたものとはいえない。
   　
２．本願発明２、３について
     　
　本願発明２、３も、本願発明１の「前記逆翻訳部は、前記話者による指示の有無に拘わりなく、前記逆翻訳を予め実行しておき」と同一の構成を備えるものであるから、本願発明１と同じ理由により、当業者であっても、引用発明に基づいて容易に発明できたものとはいえない。
    　
３．本願発明４について
   　
　本願発明４は、本願発明１に対応する方法の発明であり、本願発明１の「前記逆翻訳部は、前記話者による指示の有無に拘わりなく、前記逆翻訳を予め実行しておき」に対応する構成を備えるものであるから、本願発明１と同様の理由により、当業者であっても、引用発明に基づいて容易に発明できたものとはいえない。
   　
４．本願発明５について
    　
　本願発明５は、本願発明１に対応するプログラムの発明であり、本願発明１の「前記逆翻訳部は、前記話者による指示の有無に拘わりなく、前記逆翻訳を予め実行しておき」に対応する構成を備えるものであるから、本願発明１と同様の理由により、当業者であっても、引用発明に基づいて容易に発明できたものとはいえない。
   　
第６　原査定について
    　
　審判請求時の補正により、本願発明１−５は「前記逆翻訳部は、前記話者による指示の有無に拘わりなく、前記逆翻訳を予め実行しておき」という事項、または、これに対応する事項を有するものとなっており、当業者であっても、拒絶査定において引用された引用文献１に基づいて、容易に発明できたものとはいえない。したがって、原査定の理由を維持することはできない。
   　
第７　むすび
   　
　以上のとおり、原査定の理由によっては、本願を拒絶することはできない。
　また、他に本願を拒絶すべき理由を発見しない。
　よって、結論のとおり審決する。